(57)【要約】【課題】スメアリングが発生するのを効果的に抑制することができるころ軸受及び風力発電用増速機を提供する。【解決手段】ころ軸受８の外輪１２に形成された鍔部１２ｂの対向周面１２ｂ２に、環状の摺動部材１９を圧入して固定する。摺動部材１９の内周面には保持器１４の外周面１５ａを摺動可能に接触させる。摺動部材１９における保持器１４の外周面１５ａとの摺動摩擦抵抗は、鍔部１２ｂの対向周面１２ｂ２における保持器１４の外周面１５ａとの摺動摩擦抵抗よりも小さい。【選択図】図２
2013053712.tif 000002
【特許請求の範囲】
【請求項１】
内輪軌道面を有する内輪と、
前記内輪軌道面に対向する外輪軌道面を有する外輪と、
前記内輪軌道面と前記外輪軌道面との間に転動可能に配置された複数のころと、
前記ころを円周方向に沿って所定間隔毎に保持する環状の保持器と、を備え、
前記内輪及び前記外輪のいずれか一方に、前記ころの端面が当接する鍔面を有するとともに前記保持器の周面に対向する対向周面を有する鍔部が形成されているころ軸受であって、
前記保持器の周面及び前記鍔部の対向周面のうちの一方の面に取り付けられ、前記保持器の周面及び前記鍔部の対向周面のうちの他方の面が摺動可能に接触する環状の摺動部材を備え、
前記摺動部材における前記他方の面との摺動摩擦抵抗が、前記一方の面における前記他方の面との摺動摩擦抵抗よりも小さいことを特徴とするころ軸受。
【請求項２】
前記摺動部材が円周方向に二つ割りとされている請求項１に記載のころ軸受。
【請求項３】
前記摺動部材が前記一方の面に取り付けられた状態で当該摺動部材に当接する軸方向端面を有する凸部が、前記一方の面に径方向に突出して形成されている請求項１又は２に記載のころ軸受。
【請求項４】
風力によるブレードの回転を伝達する増速ギヤを有するとともに、ころ軸受を介して支持された増速回転軸を備え、
前記ころ軸受が、請求項１〜３のいずれか一項に記載のころ軸受であることを特徴とする風力発電用増速機。
【発明の詳細な説明】
【技術分野】
【０００１】
本発明は、ころ軸受及び風力発電用増速機に関する。
【背景技術】
【０００２】
従来、風力発電装置として、ブレードにより風力を受けて当該ブレードに接続された主軸を回転させ、その主軸の回転を増速させて発電機を駆動させるために、増速機が用いられるものがある。図６に示すように、この増速機２０２は、主軸２００の回転を入力して増速する遊星歯車機構２０３と、この遊星歯車機構２０３により増速された回転を入力して、さらにその回転を増速する高速段歯車機構２０４と、この高速段歯車機構２０４の回転トルクを出力する出力軸２０５とを備えている。
【０００３】
遊星歯車機構２０３は、主軸２００と一体回転可能に連結された入力軸２０３ａが回転すると、遊星キャリア２０３ｂが回転することによって、遊星歯車２０３ｃを介して太陽歯車２０３ｄが増速回転し、その回転を高速段歯車機構２０４の低速軸２０４ａに伝達するようになっている。
高速段歯車機構２０４は、低速軸２０４ａが回転すると、低速ギヤ２０４ｂ及び第１中間ギヤ２０４ｃを介して中間軸２０４ｄを増速回転させ、さらに第２中間ギヤ２０４ｅ及び高速ギヤ２０４ｆを介して出力軸２０５を増速回転させるようになっている。
【０００４】
増速機２０２の低速軸２０４ａ、中間軸２０４ｄ及び出力軸２０５をそれぞれ回転自在に支持する軸受として、ころ軸受２０６〜２１１が多用されている（例えば、特許文献１参照）。このうち、出力軸２０５の一端部を回転自在に支持するころ軸受２１０は、図７に示すように、内輪軌道面１０１ａを有する内輪（回転輪）１０１と、外輪軌道面１０２ａ及び鍔部１０２ｂを有する外輪（固定輪）１０２と、内輪軌道面１０１ａと外輪軌道面１０２ａとの間に転動可能に配置されている複数のころ１０３と、周方向に沿って複数形成されたポケット１０４ａにころ１０３が個別に収容された保持器１０４とを備えている。
【先行技術文献】
【特許文献】
【０００５】
【特許文献１】特開２００７−２３２１８６号公報
【発明の概要】
【発明が解決しようとする課題】
【０００６】
従来の風力発電装置では、その長期使用によって、高速回転する出力軸を支持するころ軸受において、ころの転動面や回転輪の軌道面にスメアリング（表層焼付きが起こる現象）が発生し、ころ軸受の寿命が低下するという問題があった。
本発明は、このような実情に鑑みてなされたものであり、スメアリングが発生するのを効果的に抑制することができるころ軸受及び及び風力発電用増速機を提供することを目的とする。
【課題を解決するための手段】
【０００７】
本願発明者は、スメアリングの発生メカニズムについて鋭意研究を重ねた。その結果、風力の低下により主軸の回転速度が急激に低下すると、重量の重い発電機のロータの慣性により、出力軸の回転速度よりも発電機の駆動軸の回転速度が上回ることによっていわゆるトルク抜け（荷重抜け）が発生し、このトルク抜けによって出力軸を支持するころ軸受に作用するラジアル荷重が減少し、ころ軸受のころと回転輪側の内輪軌道面との転がり摩擦抵抗よりも、ころと保持器（ポケットの内壁面）との接触摩擦抵抗、外輪（固定輪）の鍔部と保持器との摺動摩擦抵抗及びころの端面と鍔部との摺動摩擦抵抗を合算した摩擦抵抗が上回ることにより、ころの自転が遅れることを見出した。そして、この状態から風力の増加により主軸の回転速度が急激に増加したときに、ころの転動面と内輪軌道面との接触面で高速滑りが発生し、その接触面が昇温することにより、スメアリングが発生するという知見を得、かかる知見に基づいて本願発明を完成させた。
【０００８】
（１）すなわち、本発明のころ軸受は、内輪軌道面を有する内輪と、前記内輪軌道面に対向する外輪軌道面を有する外輪と、前記内輪軌道面と前記外輪軌道面との間に転動可能に配置された複数のころと、前記ころを円周方向に沿って所定間隔毎に保持する環状の保持器と、を備え、前記内輪及び前記外輪のいずれか一方に、前記ころの端面が当接する鍔面を有するとともに前記保持器の周面に対向する対向周面を有する鍔部が形成されているころ軸受であって、前記保持器の周面及び前記鍔部の対向周面のうちの一方の面に取り付けられ、前記保持器の周面及び前記鍔部の対向周面のうちの他方の面が摺動可能に接触する環状の摺動部材を備え、前記摺動部材における前記他方の面との摺動摩擦抵抗が、前記一方の面における前記他方の面との摺動摩擦抵抗よりも小さいことを特徴とする。
【０００９】
本発明によれば、保持器の周面及び鍔部の対向周面のうちの一方の面に取り付けた摺動部材に、保持器の周面及び鍔部の対向周面のうちの他方の面が摺動する際に、摺動部材における前記他方の面との摺動摩擦抵抗が、前記一方の面における前記他方の面との摺動摩擦抵抗よりも小さくすることができる。これにより、ころの自転を阻害する要因となる鍔部側と保持器側との摺動摩擦抵抗を低減することができるため、ころが自転し易くなる。したがって、ころ軸受にスメアリングが発生するのを効果的に抑制することができる。
【００１０】
（２）前記ころ軸受は、前記摺動部材が円周方向に二つ割りとされていることが好ましい。この場合、摺動部材を二つに分解することにより、ころ軸受全体を分解することなく摺動部材を取り外すことができるため、摺動部材の交換作業が容易となる。
【００１１】
（３）前記ころ軸受は、前記摺動部材が前記一方の面に取り付けられた状態で当該摺動部材に当接する軸方向端面を有する凸部が、前記一方の面に径方向に突出して形成されていることが好ましい。この場合、摺動部材は、凸部の軸方向端面に当接することにより、前記一方の面に対して軸方向に位置決めされるため、摺動部材の交換作業をさらに容易に行うことができる。
【００１２】
（４）他の観点からみた本発明の風力発電用増速機は、風力によるブレードの回転を伝達する増速ギヤを有するとともに、ころ軸受を介して支持された増速回転軸を備え、前記ころ軸受が、上記（１）〜（３）のいずれかのころ軸受であることを特徴とする。
本発明によれば、風力発電の運転中に風力が変動することによって、風力発電用増速機の増速回転軸を支持するころ軸受にスメアリングが発生するのを効果的に抑制することができる。
【発明の効果】
【００１３】
本発明のころ軸受によれば、ころが自転し易くなるため、ころ軸受にスメアリングが発生するのを効果的に抑制することができる。
【図面の簡単な説明】
【００１４】
【図１】本発明の一実施形態に係る風力発電用増速機を示す概略側面図である。
【図２】上記風力発電用増速機に用いられるころ軸受を示す断面図である。
【図３】（ａ）は上記ころ軸受の摺動部材を示す正面図であり、（ｂ）はその摺動部材を示す側面図である。
【図４】他の実施形態に係るころ軸受を示す要部拡大断面図である。
【図５】他の実施形態に係る摺動部材を示す正面図である。
【図６】従来の風力発電用増速機を示す断面図である。
【図７】従来のころ軸受を示す断面図である。
【発明を実施するための形態】
【００１５】
以下、本発明の実施形態について添付図面を参照しながら詳述する。
図１は、本発明の一実施形態に係る風力発電用増速機を示す概略側面図である。この風力発電用増速機１は、風力によるブレード（図示省略）の回転を増速させて発電機（図示省略）を駆動させるものであり、遊星歯車機構２と、複数の増速回転軸３１〜３３を有する高速段歯車機構３とを備えている。
【００１６】
遊星歯車機構２は、ブレードの回転軸（図示省略）と一体回転可能に連結された入力軸２１を有しており、この入力軸２１が回転すると遊星キャリア２２が回転するようになっている。これにより、遊星歯車２３を介して太陽歯車２４が回転し、その回転が高速段歯車機構３の低速軸３１に伝達される。
高速段歯車機構３の複数の増速回転軸３１〜３３には、低速ギヤ３１ａを有する前記低速軸３１と、第１中間ギヤ３２ａ及び第２中間ギヤ３２ｂを有する中間軸３２と、高速ギヤ３３ａを有する出力軸３３とが含まれている。本実施形態では、低速ギヤ３１ａ、第１及び第２中間ギヤ３２ａ，３２ｂ、及び高速ギヤ３３ａが、増速ギヤとされている。
【００１７】
低速軸３１は、その直径が例えば約１ｍの大型の回転軸からなり、遊星歯車機構２の入力軸２１と同軸上に配置されている。低速軸３１の軸方向両端部はころ軸受４，５により支持されている。中間軸３２は、低速軸３１の上方に配置されており、その軸方向両端部はころ軸受６，７により支持されている。中間軸３２の第１中間ギヤ３２ａは低速ギヤ３１ａと噛み合い、第２中間ギヤ３２ｂは高速ギヤ３３ａと噛み合っている。出力軸３３は、中間軸３２の上方に配置されており、その自由端部３３ｂ及び出力端部３３ｃは、それぞれころ軸受８，９により支持されている。出力端部３３ｃは、発電機の駆動軸（図示省略）に一体回転可能に連結されている。
【００１８】
以上の構成により、入力軸２１の回転は、遊星歯車機構２のギヤ比、低速ギヤ３１ａと第１中間ギヤ３２ａとのギヤ比、及び第２中間ギヤ３２ｂと高速ギヤ３３ａとのギヤ比により３段階に増速されて、出力軸３３の出力端部３３ｃから回転トルクが出力される。すなわち、風力によるブレードの回転は、風力発電用増速機１により３段階に増速されて、発電機を駆動するようになっている。なお、本発明における風力発電用増速機１は、上記構成に限定されるものではなく、少なくとも増速ギヤを有する増速回転軸をころ軸受で支持しているものであればよい。
【００１９】
図２は、出力軸３３の自由端部３３ｂを支持するころ軸受８を示す断面図である。図２において、ころ軸受８は、円筒ころ軸受からなり、出力軸３３に外嵌固定された内輪１１と、ハウジング（図示省略）に固定された外輪１２と、内輪１１と外輪１２との間に転動可能に配置された複数の円筒ころ１３と、各円筒ころ１３を円周方向に沿って所定間隔毎に保持する環状の保持器１４とを備えている。内輪１１、外輪１２、円筒ころ１３及び保持器１４は、例えば軸受鋼等の合金鋼によって形成されている。
【００２０】
内輪１１は、その外周の軸方向中央部に形成された内輪軌道面１１ａと、この内輪軌道面１１ａの軸方向両側に形成されたテーパ面１１ｂとを有している。このテーパ面１１ｂは、軸方向外側に向かって漸次縮径するように形成されている。
外輪１２は、内輪１１と同心上に配置されており、その内周の軸方向中央部に形成された外輪軌道面１２ａと、この外輪軌道面１２ａの軸方向両側に形成された一対の鍔部１２ｂとを有している。外輪軌道面１２ａは、内輪軌道面１１ａに対向して配置されている。鍔部１２ｂは、外輪１２の内周の軸方向両端部から径方向内方に向かって突出して形成されており、円筒ころ１３の端面が当接する鍔面１２ｂ１と、保持器１４の円環部１５の外周面１５ａに対向する対向周面１２ｂ２とを有している。
【００２１】
円筒ころ１３は、内輪１１の内輪軌道面１１ａと外輪１２の外輪軌道面１２ａとの間に転動可能に配置されている。
保持器１４は、軸方向に離反して配置された一対の円環部１５と、この円環部１５の周方向に沿って等間隔おきに配置されて両円環部１５同士を連結する複数の柱部１６とを有している。一対の円環部１５と隣接する柱部１６との間には、それぞれポケット１７が形成されており、このポケット１７内に各円筒ころ１３が配置されている。
【００２２】
図２において、ころ軸受８は、外輪１２の各鍔部１２ｂと保持器１４の各円環部１５との間にそれぞれ配置された一対の摺動部材１９をさらに備えている。
図３の（ａ）は摺動部材１９を示す正面図であり、（ｂ）はその摺動部材１９を示す側面図である。摺動部材１９は、図３（ａ）に示すように、半円状に形成された一対の半割摺動部１９ａ，１９ｂにより環状に形成されている。すなわち、摺動部材１９は、円周方向に２つ割りにされている。半割摺動部１９ａ，１９ｂの各端面は、側面視（図３（ｂ））において傾斜して形成されている。
【００２３】
図２において、摺動部材１９の外周面は、鍔部１２ｂの対向周面１２ｂ２に軸方向外側から圧入して固定されており、保持器１４の円環部１５の外周面１５ａが、摺動部材１９の内周面に摺動可能に接触している。
摺動部材１９は、その内周面における円環部１５の外周面１５ａとの摺動摩擦抵抗が、鍔部１２ｂの対向周面１２ｂ２における円環部１５の外周面１５ａとの摺動摩擦抵抗よりも小さくなるように、ＰＴＦＥ等の合成樹脂材又は金属材により形成されている。前記金属材としては、摩擦係数の小さい銅や、ＭＯＳ２等の固体潤滑剤により被膜された金属を用いることができる。
【００２４】
鍔部１２ｂの対向周面１２ｂ２の軸方向内側には、摺動部材１９が軸方向外側から対向周面１２ｂ２に圧入された状態で、摺動部材１９の端面に当接する軸方向端面１２ｂ４を有する凸部１２ｂ３が径方向内方に突出して形成されている。これにより、摺動部材１９を対向周面１２ｂ２に対して軸方向に位置決めすることができる。
【００２５】
以上のように構成された風力発電用増速機１及びころ軸受８によれば、鍔部１２ｂの対向周面１２ｂ２に圧入して固定された摺動部材１９に、保持器１４の外周面１５ａが摺動する際に、摺動部材１９における前記外周面１５ａの摺動摩擦抵抗が、前記対向周面１２ｂ２との摺動摩擦抵抗よりも小さくすることができる。これにより、円筒ころ１３の自転を阻害する要因となる鍔部１２ｂ側と保持器１４側と摺動摩擦抵抗を低減することができるため、円筒ころ１３が自転し易くなる。
したがって、風力発電の運転中に風力が変動することによって、風力発電用増速機１の出力軸３３を支持するころ軸受８にスメアリングが発生するのを効果的に抑制することができる。
【００２６】
また、摺動部材１９は円周方向に二つ割りとされているため、摺動部材１９を二つに分解することにより、ころ軸受８全体を分解することなく摺動部材１９を取り外すことができる。これにより、摺動部材１９を容易に交換することができる。
【００２７】
また、鍔部１２ｂの対向周面１２ｂ２に突出して形成された凸部１２ｂ３の軸方向端面に、前記対向周面１２ｂ２に圧入された摺動部材１９が当接することにより、摺動部材１９が前記対向周面１２ｂ２に対して軸方向に位置決めされるため、摺動部材１９の交換作業をさらに容易に行うことができる。
【００２８】
なお、本発明は、上記の実施形態に限定されることなく適宜変更して実施可能である。例えば、鍔部は、外輪の軸方向両側に形成されているが、少なくとも外輪の軸方向一方側に形成されていればよい。
また、鍔部は、外輪の内周に形成されているが、内輪の外周に形成されていてもよい。この場合、内輪の鍔部の内周面に摺動部材を圧入して固定し、摺動部材の外周面に保持器の内周面を摺動させればよい。
さらに、摺動部材は、鍔部の内周面に圧入されているが、保持器の外周面又は内周面に圧入されていてもよい。
【００２９】
また、本発明のころ軸受は、風力発電用増速機の出力軸に用いられる場合について例示したが、低速軸や中間軸を支持するころ軸受においてころが自転しないおそれがある場合には、低速軸又は中間軸に本発明のころ軸受を用いることも可能である。
また、本実施形態のころ軸受は、風力発電用増速機に用いられる場合について例示したが、工作機械等の他の機器において軽負荷の状態で高速回転される場合にも適用することができる。
【００３０】
また、鍔部１２ｂの対向周面１２ｂ２に対して摺動部材１９を軸方向に位置決めするために、対向周面１２ｂ２に凸部１２ｂ３を突出して形成しているが、図４に示すように、対向周面１２ｂ２に凹部１２ｂ４を形成し、この凹部１２ｂ４に摺動部材１９の軸方向端部に径方向外側に突出して形成された係合部１９ｃを係合させることにより、摺動部材１９を軸方向に位置決めしてもよい。
また、摺動部材１９は、円周方向に二つ割りとされているが、図５に示すように、Ｃ型に形成されていてもよい。
【符号の説明】
【００３１】
１：風力発電用増速機、８：ころ軸受、１１：内輪、１１ａ：内輪軌道面、１２：外輪、１２ａ：外輪軌道面、１２ｂ：鍔部、１２ｂ１：鍔面、１２ｂ２：対向周面、１２ｂ３：凸部、１２ｂ４：軸方向端面、１３：円筒ころ（ころ）、１４：保持器、１５ａ：外周面（周面）、１９：摺動部材、３３：出力軸（増速回転軸）、３３ａ：高速ギヤ（増速ギヤ）
【図１】
2013053712.tif 000003
【図２】
2013053712.tif 000004
【図３】
2013053712.tif 000005
【図４】
2013053712.tif 000006
【図５】
2013053712.tif 000007
【図６】
2013053712.tif 000008
【図７】
2013053712.tif 000009